(57)【特許請求の範囲】
【請求項１】
上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、
前記スクリーンの折り目に切込みを設け、前記切込みにコード止めを挿通して保持し、前記コード止めに前記昇降コードを挿通し、
前記ヘッドボックスからピッチ保持コードを垂下し、前記ピッチ保持コードに環状の掛止めコードを等間隔に設け、前記コード止めの下方で前記昇降コードを前記掛止めコードに挿通したことを特徴とするプリーツスクリーンの昇降装置。
【請求項２】
上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、
前記スクリーンの折り目に切込みを設け、前記切込みにコード止めを挿通して保持し、前記コード止めに前記昇降コードを挿通し、
前記コード止めを、基端部に設けた係止部を除いて前記切込みに挿通可能とした平板状に形成し、前記コード止めの中央部に前記昇降コードを挿通可能とした挿通孔を設けたことを特徴とするプリーツスクリーンの昇降装置。
【請求項３】
前記ヘッドボックスからピッチ保持コードを垂下し、前記ピッチ保持コードに環状の掛止めコードを等間隔に設け、前記コード止めの下方で前記昇降コードを前記掛止めコードに挿通したことを特徴とする請求項２記載のプリーツスクリーンの昇降装置。
【請求項４】
前記コード止めには、前記切込みに係合して、前記コード止めを前記切込みに挿通した状態に保持する突条を設けたことを特徴とする請求項２記載のプリーツスクリーンの昇降装置。
【請求項５】
前記コード止めには、前記挿通孔を該コード止めの端縁に開口する開口溝を設けたことを特徴とする請求項２記載のプリーツスクリーンの昇降装置。
【請求項６】
前記挿通孔を複数本の昇降コードを挿通可能とした挿通手段としたことを特徴とする請求項２乃至５のいずれか１項に記載のプリーツスクリーンの昇降装置。
【請求項７】
上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、
前記スクリーンにコード止めを挿通して保持し、前記コード止めに前記昇降コードを挿通し、
前記コード止めに前記スクリーンに打ち込み可能とした係止軸を設け、前記スクリーンに打ち込んだ前記係止軸で前記コード止めを前記スクリーンに保持し、
前記コード止めは、平板状の環状部に連結軸を介して前記係止軸を設け、前記環状部の中央に挿通孔を備え、
前記挿通孔を複数本の昇降コードを挿通可能とした挿通手段としたことを特徴とするプリーツスクリーンの昇降装置。
【請求項８】
上下方向にジグザグ状に折り畳み可能に形成したスクリーンをヘッドボックスから吊下支持し、前記スクリーンの折り目に切込みを設け、平板状のコード止めを、基端部に設けた係止部を除いて前記切込みに挿通して保持し、前記コード止めの中央部に設けられた挿通孔に前記スクリーンを昇降する昇降コードを挿通するとともに、前記昇降コードをピッチ保持コードの環状の掛止めコードに挿通することを特徴とするプリーツスクリーンの製造方法。
【請求項９】
上下方向にジグザグ状に折り畳み可能に形成したスクリーンをヘッドボックスから吊下支持し、前記スクリーンの折り目にコード止めを打ち込み銃で打ち込んで前記コード止めの係止軸で保持し、前記コード止めの平板状の環状部の中央部に設けられた挿通孔に前記スクリーンを昇降する昇降コードを複数本挿通するとともに、前記昇降コードをピッチ保持コードの環状の掛止めコードに挿通することを特徴とするプリーツスクリーンの製造方法。
【発明の詳細な説明】
【技術分野】
【０００１】
この発明は、プリーツスクリーンのスクリーンを昇降する昇降装置及びプリーツスクリーンの製造方法に関するものである。
【背景技術】
【０００２】
プリーツスクリーンは、上下方向にジグザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、特許文献１に開示されるように、上下方向中間部に折り目を設けた生地片の上下両端縁に接合片をそれぞれ設け、その接合片を他の生地片の接合片に溶着等の手段により接合して、上下方向にジグザグ状に折り畳み可能としたスクリーンを備えたものがある。
【０００４】
このようなスクリーンを備えたプリーツスクリーンでは、接合片に昇降コードを挿通し、その昇降コードの下端にボトムレールを吊下支持し、スクリーンの下縁をボトムレールに取着している。そして、ボトムレールを昇降することによりスクリーンを下方へ引き延ばし、あるいはスクリーンを上方へ畳み込み可能である。
【０００５】
従って、このスクリーンでは昇降コードを挿通する挿通孔はスクリーン背面の接合片に設けられるので、昇降コード挿通孔から室内へ光もれが生じることはない。
【先行技術文献】
【特許文献】
【０００６】
【特許文献１】特開２００８‐２６６９３９号公報
【特許文献２】実公昭１５‐４４５８号公報
【特許文献３】実公昭５８‐１３８１７号公報
【発明の概要】
【発明が解決しようとする課題】
【０００７】
上記のようなプリーツスクリーンでは、多数段の折り目を有するスクリーンを形成するために各生地片の接合片を溶着する溶着工程が必要となる。従って、製造工程が煩雑となるとともに、溶着設備を用意する必要がある。
【０００８】
また、スクリーンを交換する場合には、各接合片の挿通孔から昇降コードを引き抜く必要があるため、スクリーンの交換作業が煩雑となる。
特許文献２には、スクリーン（主体）に突片を貼着し、その突片に昇降コードを挿通した折畳式遮光窓覆が開示されている。この構成では、スクリーンに昇降コードを挿通しないので、昇降コード挿通孔からの光もれを防止することはできる。しかし、組み立て時には突片をスクリーンに貼着する作業が必要であるとともに、スクリーンの交換時には昇降コードを突片から引き抜く必要があるため、スクリーンの交換作業が煩雑となる。
【０００９】
特許文献３には、スクリーン（カーテン）にチャックを取着し、そのチャックにスクリーンを昇降するためのチェーンを挿通した耐熱カーテンが開示されている。この構成では、スクリーンにチェーンを挿通しないので、遮熱性を向上させることができる。しかし、組み立て時にはチャックをスクリーンに取着する必要があるとともに、スクリーンの交換時にはチェーンをチャックから引き抜く必要があるため、スクリーンの交換作業が煩雑となる。
【００１０】
この発明の目的は、組み立て工程を簡略化し、かつ昇降コード挿通孔からの光もれを防止し得るプリーツスクリーンの昇降装置及びプリーツスクリーンの製造方法を提供するこ
とにある。
【課題を解決するための手段】
【００１１】
請求項１では、上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、前記スクリーンの折り目に切込みを設け、前記切込みにコード止めを挿通して保持し、前記コード止めに前記昇降コードを挿通し、前記ヘッドボックスからピッチ保持コードを垂下し、前記ピッチ保持コードに環状の掛止めコードを等間隔に設け、前記コード止めの下方で前記昇降コードを前記掛止めコードに挿通した。
【００１２】
請求項２では、上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、前記スクリーンの折り目に切込みを設け、前記切込みにコード止めを挿通して保持し、前記コード止めに前記昇降コードを挿通し、前記コード止めを、基端部に設けた係止部を除いて前記切込みに挿通可能とした平板状に形成し、前記コード止めの中央部に前記昇降コードを挿通可能とした挿通孔を設けた。
請求項３では、前記ヘッドボックスからピッチ保持コードを垂下し、前記ピッチ保持コードに環状の掛止めコードを等間隔に設け、前記コード止めの下方で前記昇降コードを前記掛止めコードに挿通した。
【００１３】
請求項４では、前記コード止めには、前記切込みに係合して、前記コード止めを前記切込みに挿通した状態に保持する突条を設けた。
【００１４】
請求項５では前記コード止めには、前記挿通孔を該コード止めの端縁に開口する開口溝を設けた。
請求項６では、前記挿通孔を複数本の昇降コードを挿通可能とした挿通手段とした。
【００１５】
請求項７では、上下方向にジグザグ状に折り畳み可能としたスクリーンをヘッドボックスから吊下支持し、前記スクリーンの下端にボトムレールを取着し、前記ヘッドボックスから垂下される昇降コードの下端を前記ボトムレールに取着し、前記ヘッドボックスに設けられる操作装置で前記昇降コードを介して前記ボトムレールを昇降して前記スクリーンを昇降するプリーツスクリーンにおいて、前記スクリーンにコード止めを挿通して保持し、前記コード止めに前記昇降コードを挿通し、前記コード止めに前記スクリーンに打ち込み可能とした係止軸を設け、前記スクリーンに打ち込んだ前記係止軸で前記コード止めを前記スクリーンに保持し、前記コード止めは、平板状の環状部に連結軸を介して係止軸を設け、前記環状部の中央に挿通孔を備え、前記挿通孔を複数本の昇降コードを挿通可能とした挿通手段とした。
請求項８では、上下方向にジグザグ状に折り畳み可能に形成したスクリーンをヘッドボックスから吊下支持し、前記スクリーンの折り目に切込みを設け、平板状のコード止めを、基端部に設けた係止部を除いて前記切込みに挿通して保持し、前記コード止めの中央部に設けられた挿通孔に前記スクリーンを昇降する昇降コードを挿通するとともに、前記昇降コードをピッチ保持コードの環状の掛止めコードに挿通する。
【００１６】
請求項９では、上下方向にジグザグ状に折り畳み可能に形成したスクリーンをヘッドボックスから吊下支持し、前記スクリーンの折り目にコード止めを打ち込み銃で打ち込んで前記コード止めの係止軸で保持し、前記コード止めの平板状の環状部の中央部に設けられた挿通孔に前記スクリーンを昇降する昇降コードを複数本挿通するとともに、前記昇降コードをピッチ保持コードの環状の掛止めコードに挿通する。
【発明の効果】
【００１８】
本発明によれば、組み立て工程を簡略化し、かつ昇降コード挿通孔からの光もれを防止し得るプリーツスクリーンの昇降装置を提供することができる。
【図面の簡単な説明】
【００１９】
【図１】一実施形態のプリーツスクリーンを示す側面図である。
【図２】コード止めを示す斜視図である。
【図３】コード止めを示す正面図である。
【図４】コード止めを示す背面図である。
【図５】コード止めを示す平面図である。
【図６】コード止めを示す底面図である。
【図７】コード止めを示す右側面図である。
【図８】コード止めを示す左側面図である。
【図９】図３におけるＡ−Ａ線断面図である。
【図１０】スクリーンを示す斜視図である。
【図１１】コード止めの取付け手順を示す斜視図である。
【図１２】コード止めの取付け手順を示す斜視図である。
【図１３】第二の実施形態のコード止めを示す斜視図である。
【図１４】第二の実施形態のコード止めを示す正面図である。
【図１５】第二の実施形態のコード止めを示す背面図である。
【図１６】第二の実施形態のコード止めを示す平面図である。
【図１７】第二の実施形態のコード止めを示す底面図である。
【図１８】第二の実施形態のコード止めを示す右側面図である。
【図１９】第二の実施形態のコード止めを示す左側面図である。
【図２０】図１４におけるＢ−Ｂ線断面図である。
【図２１】第二の実施形態のコード止めの使用状態を示す斜視図である。
【図２２】第二の実施形態のコード止めの使用状態を示す斜視図である。
【図２３】第三の実施形態を示す正面図である。
【図２４】第四の実施形態のコード止めを示す斜視図である。
【図２５】コード止めの打ち込み工程を示す斜視図である。
【図２６】コード止めの打ち込み工程を示す説明図である。
【図２７】コード止めの打ち込み工程を示す説明図である。
【図２８】コード止めの打ち込み工程を示す説明図である。
【図２９】スクリーンに打ち込まれたコード止めを示す斜視図である。
【発明を実施するための形態】
【００２０】
（第一の実施形態）
以下、この発明を具体化した第一の実施形態を図面に従って説明する。図１に示すプリーツスクリーンは、ヘッドボックス１が取付ブラケット２を介して取付面に固定され、そのヘッドボックス１からスクリーン３が吊下支持されている。
【００２１】
前記スクリーン３は、不織布等で上下方向にジグザグ状に折り曲げ可能に形成され、その上縁が生地押え４を介してヘッドボックス１の下面に取着されている。また、前記スクリーン３の下縁は、生地押え５を介してボトムレール６に取着されている。
【００２２】
前記ヘッドボックス１内において、同ヘッドボックス１の長手方向複数個所には昇降コード巻取り装置７が配設され、その昇降コード巻取り装置７から昇降コード８が垂下されている。
【００２３】
前記昇降コード８の下端に前記ボトムレール６が吊下支持されている。そして、前記昇降コード巻取り装置７で昇降コード８が巻き上げられるとボトムレール６が引き上げられ、昇降コード巻取り装置７から昇降コード８が巻き戻されると、ボトムレール６が下降するようになっている。
【００２４】
前記スクリーン３の折り目のうち、後方に向かって突出する一段おきの折り目にはコード止め９が取着され、スクリーン３の背面側においてコード止め９には前記昇降コード８が挿通されている。
【００２５】
前記ヘッドボックス１の背面には、ピッチ保持コード１０の上端が取着され、ピッチ保持コード１０の下端は前記ボトムレール６に取着されている。ピッチ保持コード１０の長さは、ボトムレール６の下限までの下降を阻害しない長さが確保されている。
【００２６】
また、前記ピッチ保持コード１０には、所定間隔毎に環状の掛止めコード１１が形成され、その掛止めコード１１に前記昇降コード８が挿通されている。従って、ボトムレール６を下降させてスクリーン３を下方へ引き伸ばすと、前記各コード止め９が掛止めコード１１に保持されて、スクリーン３の折り目ピッチが一定に維持されるようになっている。
【００２７】
前記昇降コード巻取り装置７は、前記ヘッドボックス１内に固定される支持部材１２に巻取りドラム１３が回転可能に支持されている。そして、前記昇降コード８は支持部材１２に支持された案内ローラー１４を介して前記巻取りドラム１３に巻き取られるようになっている。
【００２８】
前記巻取りドラム１３の中心部には、六角棒状の駆動軸１５が相対回転不能に挿通され、前記ヘッドボックス１の一端部に設けられる操作装置（図示しない）を操作して駆動軸１５を回転駆動することにより、昇降コード８を巻取りあるいは巻き戻し可能となっている。
【００２９】
次に、前記コード止め９の具体的構成を説明する。図２〜図９に示すように、コード止め９は合成樹脂で平板状に成形され、基端部には幅方向に延びる係止部１６が対称状に形成されている。
【００３０】
コード止め９の中央部には円形の挿通孔１７が形成され、前記昇降コード８を挿通可能となっている。挿通孔１７の両側には幅方向に延びる断面半球状の突条１８が形成されている。
【００３１】
また、コード止め９の周縁は、全周に亘って断面半円弧状に形成されるとともに、先端縁の中央部には前記ピッチ保持コード１０を納めるための凹み１９が形成されている。
図１０に示すように、前記スクリーン３のコード止め取付位置には、前記コード止め９を挿通可能とした切込み２０が形成されている。この切込み２０は、コード止め９の係止部１６を除く部分を挿通可能とした幅で形成されている。
【００３２】
次に、上記のように構成されたコード止め９及びスクリーン昇降装置の作用を説明する。
コード止め９をスクリーン３に取り付けるには、図１１に示すように、スクリーン３の表面側すなわち室内側から切込み２０にコード止め９を挿入する。コード止め９は、その基端部から切込み２０に挿入し、図１２にと示すように、係止部１６を残して突条１８が切込み２０に没するまで挿入すると、突条１８が切込み２０の背面側に係合して、コード止め９が切込み２０に保持される。このようにして、室外側に突出する１段おきの折り目にコード止め９を取着する。
【００３３】
次いで、スクリーン３の背面側でコード止め９の挿通孔１７にヘッドボックス１内の昇降コード巻取り装置７から昇降コード８を挿通するとともに、各コード止め９間にピッチ保持コード１０の掛止めコード１１を一つずつ位置させた状態で、掛止めコード１１に昇降コード８を挿通する。
【００３４】
そして、スクリーン３の上縁をヘッドボックス１に取着し、スクリーン３の下縁をボトムレール６に取着するとともに、昇降コード８の下端をボトムレール６に取着する。また、ピッチ保持コード１０の上端をヘッドボックス１に取着し、ピッチ保持コード１０の下端をボトムレール６に取着する。すると、図１に示すプリーツスクリーンの昇降装置が構成される。
【００３５】
このようなプリーツスクリーンでは、操作装置の操作により昇降コード８を巻取りドラム１３に巻き取ると、ボトムレール６が引き上げら、そのボトムレール６によりスクリーン３が下方から順次折り畳まれながら押し上げられる。
【００３６】
また、操作装置の操作により昇降コード８を巻取りドラム１３から巻き戻すと、ボトムレール６が下降し、スクリーン３が上方から順次引き伸ばされてヘッドボックス１からジグザグ状に吊下支持される状態に復帰する。
【００３７】
このとき、スクリーン３に上下方向に複数取着された各コード止め９がピッチ保持コード１０の掛止めコード１１に保持されて、一定間隔に維持される。すると、スクリーン３の折り目ピッチがほぼ一定間隔に保持される。
【００３８】
上記のように構成されたプリーツスクリーンのスクリーン昇降装置では、次に示す効果を得ることができる。
（１）ボトムレール６を下降させて、スクリーン３を下方へ引き伸ばすとき、コード止め９及びピッチ保持コード１０の作用により、スクリーン３の折り目ピッチをほぼ一定に保持することができる。
（２）コード止め９に設けた挿通孔１７に昇降コード８を挿通するので、スクリーン３に挿通孔を設ける必要はない。従って、昇降コードの挿通孔から光漏れが生じることはない。
（３）スクリーン３を一枚の生地で形成することができる。従って、従来例のような溶着工程を必要としないので、スクリーン３の製造工程を簡略化して、コストを低減することができる。
（４）従来例のように多数の生地片の各接合片を溶着して一枚のスクリーンを形成する場合に比して、本実施例では接合片を必要とすることなく、一枚のスクリーン３を形成することができる。従って、スクリーン３の一枚当たりの生地使用量を少なくして、コストを低減することができる。
（５）コード止め９をスクリーン３の切込み２０に容易に取着することができる。また、コード止め９に設けた突条１８と係止部１６により、コード止め９を切込み２０に挿入した状態で容易に保持することができる。
（６）スクリーン３を昇降するとき、コード止め９の凹み１９で前記ピッチ保持コード１０をコード止め９の背面側に保持することができる。
（第二の実施形態）
図１３〜図２２は、第二の実施形態を示す。前記第一の実施形態と同一構成部分は、同一符合を付して説明する。
【００３９】
この実施形態のコード止め２１は、図１３に示すように、挿通孔１７から一方の突条１８に沿って開口溝２２を設けて、挿通孔１７が開口溝２２を介してコード止め２１の周縁に開口されている。上記以外の構成は、前記第一の実施形態と同様である。
【００４０】
このように構成されたコード止め２１では、図２１に示すようにスクリーン３の切込み２０に挿通され、かつ挿通孔１７に昇降コード８が挿通されている状態から、図２２に示すように、昇降コード８を挿通孔１７から開口溝２２を経て取り外すことができる。
【００４１】
すると、スクリーン３を交換する際には、昇降コード８の下端をボトムレール６から外すことなく、コード止め２１から昇降コード８を取り外すことができる。そして、コード止め２１から昇降コード８を取り外せば、ピッチ保持コード１０の掛止めコード１１も昇降コード８が挿通されたままでコード止め２１から外れるので、コード止め２１をスクリーン３の切込み２０から取り外し可能となる。
【００４２】
また、新たなスクリーン３の上端をヘッドボックス１に取着し、下端をボトムレール６に取着した状態でコード止め２１をスクリーン３の切込み２０に挿通し、その切込み２０の挿通孔１７に開口溝２２から昇降コード８を挿入すると、スクリーン３の交換作業が終了する。
【００４３】
上記のように構成されたプリーツスクリーンのスクリーン昇降装置では、第一の実施形態で得られた効果に加えて、次に示す作用効果を得ることができる。
（１）昇降コード８の下端をボトムレール６から取り外すことなく、スクリーン３を容易に交換することができる。
（第三の実施形態）
図２３は、第三の実施形態を示す。この実施形態のコード止め３１は、中央部に形成される挿通孔３２が、スクリーンの切込みへの挿入方向に長径となる長孔として形成されている。その他の構成は、第一の実施形態のコード止め９と同様である。
【００４４】
このように構成されたコード止め３１は、ヘッドボックスとボトムレールとの間に中間レールを備え、ボトムレールと中間レールを独立して昇降することにより、ヘッドボックスと中間レールとの間の上部スクリーンと、中間レールとボトムレールとの間の下部スクリーンとを独立して昇降可能としたプリーツスクリーンに使用して有用である。
【００４５】
このようなプリーツスクリーンでは、中間レールを昇降する第一の昇降コードと、ボトムレールを昇降する第二の昇降コードがスクリーンの後方に垂下されるため、ヘッドボックスと中間レールとの間では２本の昇降コードが近接して垂下される。
【００４６】
従って、この実施形態のコード止め３１では、上部スクリーンに取着したコード止め３１の挿通孔３２にこの２本の昇降コードを挿通することにより、第一の実施形態のコード止めと同様な効果を得ることができる。
（第四の実施形態）
図２４〜図２９は、第四の実施形態を示す。図２４に示すコード止め３３は平板状の環状部３４に連結軸３５を介して係止軸３６が設けられている。環状部３４、連結軸３５及び係止軸３６は合成樹脂で一体に成形され、連結軸３５及び係止軸３６は衣料に値札等を付けるタグピンと同様な構成である。
【００４７】
前記環状部３４の中央には昇降コードを挿通するための長孔状の挿通孔３７が形成されて、第三の実施形態のコード止め３１と同様に２本の昇降コードを挿通可能である。
このコード止め３３は、図２５に示すように、多数のコード止め３３が係止軸３６の長手方向中央部で連結されて積層された状態で成形され、衣類にタグピンを取着する場合と同様に、打ち込み銃３８を使用してスクリーン３に取着される。すなわち、コード止め３３はスクリーン３の裏面側すなわち室外側から、室外側に向かって凸となる折り目３９に向かって打ち込み銃３８で１枚ずつ打ち込み可能である。
【００４８】
すると、図２６に示すように、打ち込み銃３８の針４０からコード止め３３の係止軸３６が打ち出され、図２７〜図２８に示すように係止軸３６がスクリーン３の折り目３９部分を貫通すると、係止軸３６が連結軸３５に対し直角となるように復帰して、図２９に示すように、コード止め３３がスクリーン３に保持される。
【００４９】
前記コード止め３３以外の構成は、前記第一の実施形態と同様であり、コード止め３３をスクリーン３に取着した後の工程は、前記第一の実施形態と同様である。
上記のようなコード止め３３を使用したスクリーン昇降装置では、次に示す効果を得ることができる。
（１）コード止め３３を打ち込み銃３８でスクリーン３に容易に取着することができる。また、スクリーン３に打ち込んだ後は、係止軸３６でスクリーン３に保持することができる。
（２）コード止め３３に設けた挿通孔３７に昇降コードを挿通するので、スクリーン３に挿通孔を設ける必要はない。従って、昇降コードの挿通孔から光漏れが生じることはない。
【００５０】
上記実施形態は、以下の態様で実施してもよい。
・ピッチ保持コード１０の掛止めコード１１は、折り目の２段毎あるいは３段毎等、任意の段数おきに設けてもよい。
・第三の実施形態において、長孔とした挿通孔３２に代えて、複数本の昇降コードを挿通可能とした複数の円形孔としてもよい。
・第四の実施形態において、環状部３４に開口溝を設けて、挿通孔３７を環状部３４の周縁部に開口してもよい。
【符号の説明】
【００５１】
１…ヘッドボックス、３…スクリーン、６…ボトムレール、８…昇降コード、９，２１，３１，３３…コード止め、１０…ピッチ保持コード、１１…掛止めコード、１７，３２…挿通孔（挿通手段）、２０…切込み、２２…開口溝。
【図１】
0006006954.tif 000002
【図２】
0006006954.tif 000003
【図３】
0006006954.tif 000004
【図４】
0006006954.tif 000005
【図５】
0006006954.tif 000006
【図６】
0006006954.tif 000007
【図７】
0006006954.tif 000008
【図８】
0006006954.tif 000009
【図９】
0006006954.tif 000010
【図１０】
0006006954.tif 000011
【図１１】
0006006954.tif 000012
【図１２】
0006006954.tif 000013
【図１３】
0006006954.tif 000014
【図１４】
0006006954.tif 000015
【図１５】
0006006954.tif 000016
【図１６】
0006006954.tif 000017
【図１７】
0006006954.tif 000018
【図１８】
0006006954.tif 000019
【図１９】
0006006954.tif 000020
【図２０】
0006006954.tif 000021
【図２１】
0006006954.tif 000022
【図２２】
0006006954.tif 000023
【図２３】
0006006954.tif 000024
【図２４】
0006006954.tif 000025
【図２５】
0006006954.tif 000026
【図２６】
0006006954.tif 000027
【図２７】
0006006954.tif 000028
【図２８】
0006006954.tif 000029
【図２９】
0006006954.tif 000030